(57)【要約】【課題】外観性を損なうことなく、より安価に天井への取付けを可能にしてなる空気調和機の室外機を提供する。【解決手段】筐体１を構成するベース３の底部に床および天井取付兼用の脚体７を取り外し可能に設ける一方、外胴５の上部に被せる天板６に脚体７の取付けに必要な複数の脚体取付孔６ａを設けてなり、筐体１を天吊り状態に設置するとき、ベース３から取り外した脚体７を天板６上で上下反転させて付け替え、その両端部に設けられている据え付け用ボルト孔７ｃに天板取付専用のボルトを通して固定する。なお、天板６はその強度アップを図るために絞り部６ｂを設けた構成とする。また、室外機の移送および床設置においては、天板上の脚体取付孔６ａに防水キャップ１０を被着するものとする。【選択図】　図１
2004069206.tif 000002
【特許請求の範囲】
【請求項１】
圧縮機・熱交換器・送風機等を配設したベースと、前記熱交換器との対向面に外気の吸込口を設ける一方、前記送風機との対向面に吹出口を設けてなる外胴と、同外胴の上部に被せる天板とからなる筐体の前記ベースの底部に床および天井取付兼用の脚体を取り外し可能に設ける一方、前記天板に前記脚体の取付けに必要な複数の脚体取付孔を設けてなり、前記筐体を天吊り状態に設置するとき、前記ベースから取り外した脚体を前記天板上に上下反転させて付け替え、その両端部に設けられている据え付け用ボルト孔に天井取付専用のボルトを通して固定するようにしてなることを特徴とする空気調和機の室外機。
【請求項２】
前記天板に前記脚体取付孔を有して上方へ突出させた絞り部を設けるとともに、その内面に前記脚体取付孔の位置に合わせてナットを固着してなる請求項１記載の空気調和機の室外機。
【請求項３】
前記室外機の移送および床設置においては、前記天板上の脚体取付孔に防水キャップを被着してなる請求項１記載の空気調和機の室外機。
【発明の詳細な説明】
【０００１】
【発明の属する技術分野】
本発明は空気調和機の室外機に係わり、より詳しくは、同室外機を床および天井の何れにも取付け可能にした筐体とその脚体の構造に関する。
【０００２】
【従来の技術】
空気調和機の室外機は例えば図４に示すような形態になっており、その筐体２１は圧縮機２２と図示されてない熱交換器および送風機等が配設されたベース２３と、熱交換器との対向面に外気の吸込口を設ける一方、送風機との対向面に吹出口２４を設けてなる外胴２５と、この外胴２５の上部に被せられた天板２６とからなり、ベース２３の底部左右の前後方向に脚体２７を設けた構造になっており、この脚体２７の前後両端部に設けられた据え付け用ボルト孔２７ａにネジを通し、ベランダ等に設けられた設置台に固定するようになっている。
【０００３】
また、高層住宅等の建物においては、ベランダを有効利用するために室外機を天吊り状態に設置することがある。図５はその一例を示したもので、天井（上階のベランダの底部）２８に設けられた複数本のアンカーボルト２９に取付けられた設置台３０に載置され、この設置台３０に筐体２１下部の脚体２７をネジ３１止めするようになっている。
【０００４】
【発明が解決しようとする課題】
しかしながら、図５に示すような天井取付では長いアンカーボルト２９と設置台３０とを必要とし、コスト面で問題があるだけでなく、外観上も好ましくないという問題がある。したがって、本発明においては、これらの課題を解決可能にした空気調和機の室外機を提供することを目的としている。
【０００５】
【課題を解決するための手段】
本発明は上記の課題を解決するためになされたもので、圧縮機・熱交換器・送風機等を配設したベースと、前記熱交換器との対向面に外気の吸込口を設ける一方、前記送風機との対向面に吹出口を設けてなる外胴と、同外胴の上部に被せる天板とからなる筐体の前記ベースの底部に床および天井取付兼用の脚体を取り外し可能に設ける一方、前記天板に前記脚体の取付けに必要な複数の脚体取付孔を設けてなり、前記筐体を天吊り状態に設置するとき、前記ベースから取り外した脚体を前記天板上に上下反転させて付け替え、その両端部に設けられている据え付け用ボルト孔に天井取付専用のボルトを通して固定するようにしてなる構成とする。
【０００６】
また、前記天板に前記脚体取付孔を有して上方へ突出させた絞り部を設けるとともに、その内面に前記脚体取付孔の位置に合わせてナットを固着してなる構成とする。
【０００７】
また、前記室外機の移送および床設置においては、前記天板上の脚体取付孔に防水キャップを被着してなる構成とする。
【０００８】
【発明の実施の形態】
以下、本発明の実施の形態を図１乃至図３に基づいて説明する。
図１は室外機の外部構成とその要部を断面図と斜視図で示したもので、この室外機の筐体１は圧縮機２と図示されてない熱交換器および送風機等が配設されたベース３と、熱交換器との対向面に外気の吸込口を設ける一方、送風機との対向面に吹出口４を設けてなる外胴５と、この外胴５の上部に被せられた天板６とからなり、ベース３の底部には床（ベランダ等に置かれた設置台）および天井取付兼用の脚体７が取り外し可能に設けられている。
【０００９】
脚体７は（Ｃ）図に示すように、ベース３への取付面７ａに取付ネジ８を通す複数の孔７ｂを設ける一方、設置面の両端部に据え付け用ボルト孔７ｃを設けた形態になっており、床取付（設置台への取付）の場合には据え付け用ボルト孔７ｃに所定のネジを通して固定するようになっている。
【００１０】
次に天板６の形状について説明する。
天板６には脚体７の取付けに必要な複数の脚体取付孔６ａが設けられ、筐体１を天吊り状態に設置するときはベース３から取り外した脚体７を天板６上に上下反転させて付け替え、その両端部に設けられている据え付け用ボルト孔７ｃに天井取付専用のボルトを通して固定するようになっている。
【００１１】
なお、天板６にはその強度アップを図るため、（Ａ）図および（Ｂ）図に示すように、上方へ突出させた帯状の絞り部６ｂが前後に形成され、その上面に脚体取付孔６ａが設けられ、内面に脚体取付孔６ａの位置に合わせてナット９を固着した形態になっており、室外機の移送および床設置においては、脚体取付孔６ａの全てに防水キャップ１０を被着（ネジでもよい）して筐体１内部への雨水や埃の侵入を防止するようになっている。
【００１２】
上記構成による室外機において、同室外機を天吊り状態に設置するときは、図２に示すように、ベース３から取り外した脚体７を天板６上に上下反転させて付け替え、その両端部に設けられている据え付け用ボルト孔７ｃに天井取付専用のボルトを通して固定するようになっている。
【００１３】
図３の（Ａ）、（Ｂ）は天井への取付例を示したもので、（Ａ）図は天井からの吊りボルト１１とナット１２を利用した場合、（Ｂ）図はアンカーボルト１３を利用して脚体７を天井に直接固定した場合の形態を示している。
このように、本発明による室外機であれば図３の（Ａ）または（Ｂ）に示すような天井取付ができるため外観もすっきりしたものとなる。
【００１４】
【発明の効果】
以上説明したように構成された室外機であるならば、ベースに取付けられている脚体を天板上に上下反転させて付け替えることにより、長い吊りボルトや天吊り専用の設置台を使わずとも天吊りまたは天井取付が可能であり、コストの低減が図れるとともに、外観もすっきりしたものとなる。
【図面の簡単な説明】
【図１】本発明の実施の形態を示したもので、（Ａ）図は室外機の外観斜視図、（Ｂ）図は同室外機のＡ−Ａ部断面図、（Ｃ）図は同室外機の脚体斜視図である。
【図２】本発明の実施の形態を示す室外機の外観斜視図である。
【図３】本発明による室外機の天井への取付例を示す側面図である。
【図４】従来例を示す室外機の外観斜視図である。
【図５】従来の室外機の天井取付例を示す側面図である。
【符号の説明】
１　筐体
３　ベース
４　吹出口
５　外胴
６　天板
６ａ　脚体取付孔
６ｂ　絞り部
７　脚体
７ａ　取付面
７ｂ　孔
７ｃ　据え付け用ボルト孔
８　取付ネジ
９　ナット
１０　防水キャップ
１１　吊りボルト
１２　ナット
１３　アンカーボルト
【図１】
2004069206.tif 000003
【図２】
2004069206.tif 000004
【図３】
2004069206.tif 000005
【図４】
2004069206.tif 000006
【図５】
2004069206.tif 000007